(57)【要約】      （修正有）【課題】製造コストを抑えて面材の四周に保持部材を配設すること。【解決手段】相互に接合される框の保持部材４０は、同一の断面形状を有するように構成され、面材の一方の表面側に配設される側壁部４０ｂが互いに第１の対向面４０ｂ１，４０ｂ３、４０ｂ２，４０ａ２を突き合わせて対向され、かつ面材の他方の表面側に配設される側壁部４０ｂが互いに第２の対向面４０ｂ１，４０ｂ３、４０ｂ２，４０ａ２を突き合わせて対向され、第１の対向面４０ｂ１，４０ｂ３、４０ｂ２，４０ａ２と第２の対向面４０ｂ１，４０ｂ３、４０ｂ２，４０ａ２とが互いに異なる平面上に位置するように設けられている。【選択図】図５
2018066119.tif 000002
【特許請求の範囲】
【請求項１】
複数の枠材を接合することによって構成した面材枠の内部に保持部材を介して面材を保持するようにした建具において、
それぞれの枠材に配設する保持部材は、底壁部と、前記底壁部の両側縁部から互いに対向するように延在した一対の側壁部とを有し、前記一対の側壁部の間に前記面材の縁部が配置されるものであり、
相互に接合される枠材の保持部材は、同一の断面形状を有するように構成され、前記面材の一方の表面側に配設される側壁部が互いに第１の対向面を突き合わせて対向され、かつ前記面材の他方の表面側に配設される側壁部が互いに第２の対向面を突き合わせて対向され、前記第１の対向面と前記第２の対向面とが互いに異なる平面上に位置するように設けられていることを特徴とする建具。
【請求項２】
前記保持部材は、一方の側壁部の小口端面が、他方の側壁部の小口端面よりも、前記底壁部から前記側壁部の側端面までの長さ分だけ退行した位置に設けてあり、
相互に接合される枠材の保持部材は、前記一方の側壁部の小口端面が前記他方の側壁部の側端面に対向された状態で配設されていることを特徴とする請求項１に記載の建具。
【請求項３】
前記保持部材は、前記底壁部の小口端面が前記他方の側壁部の小口端面と同一の平面上に位置していることを特徴とする請求項２に記載の建具。
【請求項４】
前記枠材は、前記面材に対向する部位に面材収容溝を有しており、前記枠材の面材収容溝と前記面材との間に前記保持部材が配設されていることを特徴とする請求項１に記載の建具。
【発明の詳細な説明】
【技術分野】
【０００１】
本発明は、建具に関するものである。
【背景技術】
【０００２】
建具の障子には、上下の横框及び左右の縦框によって構成した面材枠の内部に保持部材を介して面材を保持するようにしたものがある。保持部材は、底壁部と、底壁部の両側縁部から互いに対向するように設けた一対の側壁部とを有したもので、側壁部の間に面材の縁部を位置させた状態で障子に配設されている。相互に接合される縦框と横框との間においては、例えば、縦框に配設した保持部材の端部に絞り加工を施し、これを横框に配設した保持部材の側壁部間に嵌入することによって互いに間に隙間ができないように構成されている（例えば、特許文献１参照）。
【先行技術文献】
【特許文献】
【０００３】
【特許文献１】実開昭５８−６４７２３号公報
【発明の概要】
【発明が解決しようとする課題】
【０００４】
ところで、上述の従来技術にあっては、絞り加工を施す分だけ製造コストの点で不利となるのは否めない。しかも、保持部材と面材との隙間が均一とはならないため、保持部材と面材との間に定形のシール材を用いることができないという問題も生じる。
【０００５】
本発明は、上記実情に鑑みて、製造コストを抑えて面材の縁部に保持部材を配設することのできる建具を提供することを目的とする。
【課題を解決するための手段】
【０００６】
上記目的を達成するため、本発明に係る建具は、複数の枠材を接合することによって構成した面材枠の内部に保持部材を介して面材を保持するようにした建具において、それぞれの枠材に配設する保持部材は、底壁部と、前記底壁部の両側縁部から互いに対向するように延在した一対の側壁部とを有し、前記一対の側壁部の間に前記面材の縁部が配置されるものであり、相互に接合される枠材の保持部材は、同一の断面形状を有するように構成され、前記面材の一方の表面側に配設される側壁部が互いに第１の対向面を突き合わせて対向され、かつ前記面材の他方の表面側に配設される側壁部が互いに第２の対向面を突き合わせて対向され、前記第１の対向面と前記第２の対向面とが互いに異なる平面上に位置するように設けられていることを特徴とする。
【０００７】
この発明によれば、相互に接合される枠材の保持部材においては、側壁部が互いに対向面を突き合わせて対向されるように構成しているため、絞り加工が不要となるばかりでなく、保持部材と面材との間に定形のシール材を配設することが可能となり、製造コストを抑えることができる。しかも、第１の対向面と第２の対向面とが互いに異なる平面上に位置するように構成しているため、例えば、火災発生時の熱伸びの影響によって対向面の隙間が増大したとしてもこれらが火炎の貫通口となるおそれはなく、防火性の点でも有利となる。
【０００８】
また本発明は、上述した建具において、前記保持部材は、一方の側壁部の小口端面が、他方の側壁部の小口端面よりも、前記底壁部から前記側壁部の側端面までの長さ分だけ退行した位置に設けてあり、相互に接合される枠材の保持部材は、前記一方の側壁部の小口端面が前記他方の側壁部の側端面に対向された状態で配設されていることを特徴とする。
【０００９】
この発明によれば、保持部材に対しては、一方の側壁部を短く構成すれば良いため、製造コストの点で有利となる。
【００１０】
また本発明は、上述した建具において、前記保持部材は、前記底壁部の小口端面が前記他方の側壁部の小口端面と同一の平面上に位置していることを特徴とする。
【００１１】
この発明によれば、相互に接合される框においては保持部材の底壁部が互いに近接して設置されることになり、面材の見込み面全周を底壁部によって覆うことが可能となる。
【００１２】
また本発明は、上述した建具において、前記枠材は、前記面材に対向する部位に面材収容溝を有しており、前記枠材の面材収容溝と前記面材との間に前記保持部材が配設されていることを特徴とする。
【００１３】
この発明によれば、面材の縁部が保持部材を介して枠材の面材収容溝に収容された状態で保持される。
【発明の効果】
【００１４】
本発明によれば、相互に接合される枠材の保持部材においては、側壁部が互いに対向面を突き合わせて対向されるように構成しているため、絞り加工が不要となるばかりでなく、保持部材と面材との間に定形のシール材を配設することが可能となり、製造コストを抑えることができる。しかも、第１の対向面と第２の対向面とが互いに異なる平面上に位置するように構成しているため、例えば、火災発生時の熱伸びの影響によって対向面の隙間が増大したとしてもこれらが火炎の貫通口となるおそれはなく、防火性の点でも有利となる。
【図面の簡単な説明】
【００１５】
【図１】図１は、本発明の実施の形態である建具を室内側から見た図である。
【図２】図２は、図１に示した建具に適用する障子の縦断面図である。
【図３】図３は、図１に示した建具に適用する障子の横断面図である。
【図４】図４は、図２及び図３に示した障子に適用する保持部材の斜視図である。
【図５】図５は、図２及び図３に示した障子において相互に接合される枠材の保持部材を示したもので、（ａ）は要部分解斜視図、（ｂ）は互いに端部を対向させた状態の要部斜視図、（ｃ）は互いに端部を対向させた状態を側壁部側から見た図である。
【図６】図６は、図２及び図３に示した障子に適用する保持部材の変形例１を示した斜視図である。
【図７】図７は、図６に示した保持部材の組み合わせ例を示すもので、（ａ）は分解斜視図、（ｂ）は互いに端部を互いに対向させた状態の斜視図である。
【図８】図８は、図２及び図３に示した障子において相互に接合される枠材の保持部材の変形例２を示したもので、（ａ）は要部分解斜視図、（ｂ）は互いに端部を対向させた状態の要部斜視図、（ｃ）は互いに端部を対向させた状態を側壁部側から見た図である。
【発明を実施するための形態】
【００１６】
以下、添付図面を参照しながら本発明に係る建具の好適な実施の形態について詳細に説明する。
図１は、本発明の実施の形態である建具を示したものである。ここで例示する建具は、枠体１０に対して２枚の障子２０を左右方向に沿ってスライド可能に配設した引き違い窓と称されるものである。枠体１０は、上枠１１、下枠１２及び左右の縦枠１３を備えて矩形状に構成したものである。２枚の障子２０は、それぞれ外形が矩形状を成す面材２１と、面材２１の四周に設けた上框（枠材）２２、下框（枠材）２３及び左右の縦框（枠材）２４，２５とを備えて構成したものである。左右の縦框２４，２５の上端部間に上框２２が接合され、左右の縦框２４，２５の下端部間に下框２３が接合され、矩形状の面材枠２０Ａを構成している。図２及び図３に示すように、本実施の形態では、面材２１として複層ガラスを適用した障子２０を例示している。
【００１７】
以下、障子２０の構成について詳述し、併せて本発明の特徴部分について説明する。なお、２枚の障子２０は、同様の構成を有して構成したものである。このため、以下においては主に室外側に配設される外障子２０について説明し、室内側に配設される内障子２０については同一の符号を付して詳細説明を省略する。また、以下の説明においては便宜上、見込み方向及び見付け方向等の用語を用いる。見込み方向とは、図２及び図３中の矢印Ａで示すように、建具の奥行きに沿った方向である。見込み方向に沿った面については、見込み面と称する場合がある。見付け方向とは、上枠１１や下枠１２等のように水平に沿った部材の場合、見込み方向に直交した上下に沿う方向であり、縦枠１３等のように上下に沿った部材の場合、見込み方向に直交した水平に沿う方向である。見付け方向に沿った平面については、見付け面と称する場合がある。
【００１８】
外障子２０の上框２２、下框２３及び室内側から見て左側に配置される縦框２４（以下、区別する場合に戸先框２４という）は、それぞれが室外側に配置される外方框構成体２２Ａ，２３Ａ，２４Ａと、室内側に配置される内方框構成体２２Ｂ，２３Ｂ，２４Ｂとを接合することによって構成したものである。外方框構成体２２Ａ，２３Ａ，２４Ａは、アルミニウム合金等の金属によって成形した押し出し形材であり、内方框構成体２２Ｂ，２３Ｂ，２４Ｂは、樹脂によって成形した押し出し形材である。室内側から見て右側に配置される縦框２５（以下、区別する場合に、召合せ框２５という）については、アルミニウム合金等の金属によって成形した単一の構成体から成るものを適用している。なお、図には明示していないが、内障子２０において室内側から見て左側に配置される召合せ框２５′は、上框２２等と同様、外方框構成体と内方框構成体とによって構成するようにしている。
【００１９】
それぞれの框２２，２３，２４，２５において面材２１に対向する内周側の見込み面となる部分には、面材収容溝２２Ｃ，２３Ｃ，２４Ｃ，２５Ｃが設けてある。面材収容溝２２Ｃ，２３Ｃ，２４Ｃ，２５Ｃは、框２２，２３，２４，２５に設けた２つの見付けヒレ部２２ａ，２３ａ，２４ａ，２５ａの間に構成されたもので、それぞれ見付けヒレ部２２ａ，２３ａ，２４ａ，２５ａの相互間隔が面材２１の板厚Ｔよりも大きな寸法を有するように構成してある。２つの見付けヒレ部２２ａ，２３ａ，２４ａ，２５ａは、框２２，２３，２４，２５からそれぞれ見付け方向に沿って内周側に延在した後、延在端部が互いに対向するように屈曲した薄板状部分であり、框２２，２３，２４，２５の見込み面において室外側に位置する縁部及び室内側に位置する縁部に設けてある。召合せ框２５においては、同一の部材に設けた２つの見付けヒレ部２５ａの間に面材収容溝２５Ｃが構成してあるが、上框２２、下框２３及び戸先框２４においては、外方框構成体２２Ａ，２３Ａ，２４Ａに設けた見付けヒレ部２２ａ，２３ａ，２４ａと内方框構成体２２Ｂ，２３Ｂ，２４Ｂに設けた見付けヒレ部２２ａ，２３ａ，２４ａとの間に面材収容溝２２Ｃ，２３Ｃ，２４Ｃが構成してある。
【００２０】
なお、図２及び図３中の符号ＥＸは、熱により膨張する不燃性または難燃性の部材から成る熱膨張性部材である。
【００２１】
それぞれの面材収容溝２２Ｃ，２３Ｃ，２４Ｃ，２５Ｃには、シール材３０及び保持部材４０を介して面材２１の縁部が配置してある。シール材３０は、止水性及び弾性を有した樹脂によって一定の断面形状を有するように成形したもので、面材２１の四周に連続するように設けてある。本実施の形態では、面材２１の見込み面を覆う見込みカバー部３０ａと、面材２１の縁部表面を覆う２つの見付けカバー部３０ｂとを一体に成形したシール材３０を適用している。見付けカバー部３０ｂの延在端縁部には、見付けヒレ部２２ａ，２３ａ，２４ａ，２５ａと面材２１との間に介在して両者の隙間を塞ぐ厚肉部３０ｃが設けてある。
【００２２】
保持部材４０は、底壁部４０ａ及び一対の側壁部４０ｂを有したもので、框２２，２３，２４，２５を構成する金属よりも融点の高い金属によって成形してある。例えば、框２２，２３，２４の外方框構成体２２Ａ，２３Ａ，２４Ａとしてアルミニウム合金によって成形されたものを適用した場合には、ステンレス等の鋼材によって保持部材４０を成形すれば良い。底壁部４０ａは、面材２１の板厚Ｔよりも大きく、かつ見付けヒレ部２２ａ，２３ａ，２４ａ，２５ａの相互間隔よりも小さい幅を有した薄板状部分である。側壁部４０ｂは、底壁部４０ａの両側縁部から互いに対向し、かつ相互にほぼ平行となるように延在した薄板状部分であり、見付け方向に沿った寸法が見付けヒレ部２２ａ，２３ａ，２４ａ，２５ａよりも小さく設定してある。
【００２３】
図４は、保持部材４０を示したものである。図からも明らかなように、本実施の形態で適用する保持部材４０は、底壁部４０ａに対して側壁部４０ｂの長手寸法が短く設定してある。具体的には、保持部材４０の底壁部４０ａは面材２１に対してそれぞれの見込み面のほぼ全面を覆うことのできる長手寸法に設定してある。これに対して側壁部４０ｂの長手寸法は、底壁部４０ａに対して側壁部４０ｂの見付け方向に沿った寸法ｈ分だけ短く設定してある。図４からも明らかなように、一方の側壁部４０ｂは、底壁部４０ａの一方の小口端面４０ａ１から側壁部４０ｂの見付け方向に沿った寸法ｈ分だけ小口端面（対向面）４０ｂ１が退行した位置に設けてあり、他方の側壁部４０ｂは、底壁部４０ａの他方の小口端面４０ａ１から側壁部４０ｂの見付け方向に沿った寸法ｈ分だけ小口端面４０ｂ１が退行した位置に設けてある。退行した側壁部４０ｂの小口端面４０ｂ１及び退行していない側壁部４０ｂの小口端面（対向面）４０ｂ２は、底壁部４０ａの小口端面４０ａ１と同様、いずれも保持部材４０の長手方向に対して直角となるように延在している。上述の保持部材４０を製造するには、例えば、底壁部４０ａ及び側壁部４０ｂを有した長尺材を適宜長さに切断した後、一方の側壁部４０ｂの端部を切除すれば良い。
【００２４】
これらの保持部材４０は、図２及び図３に示すように、框２２，２３，２４，２５の面材収容溝２２Ｃ，２３Ｃ，２４Ｃ，２５Ｃに配置した後、底壁部４０ａから框２２，２３，２４，２５にネジＳを螺合することにより、框２２，２３，２４，２５の中空部２２ｂ，２３ｂ，２４ｂ，２５ｂに配設した補強材５０と連結した状態で面材収容溝２２Ｃ，２３Ｃ，２４Ｃ，２５Ｃに配置される。この状態から、四周にシール材３０を装着した面材２１の縁部が側壁部４０ｂの間に配置されることになる。
【００２５】
ここで、上述したように、この実施の形態で適用する保持部材４０は、一方の側壁部４０ｂの小口端面４０ｂ１が底壁部４０ａの小口端面４０ａ１よりも側壁部４０ｂの見付け方向に沿った寸法ｈ分だけ退行した位置に配置されたものである。従って、相互に接合される框の保持部材４０、例えば図５に示すように、縦框２４，２５に配設されて上下方向に延在された保持部材４０と、下框２３に配設されて左右方向に延在された保持部材４０とでは、互いに対向する側壁部４０ｂの小口端面４０ｂ１，４０ｂ２が面材２１の一方の表面側と他方の表面側とで互いに異なる平面上に位置した状態となる。すなわち、互いに隣接する縦框２４，２５の保持部材４０と下框２３の保持部材４０との間においては、退行した側壁部４０ｂの小口端面４０ｂ１がそれぞれ退行していない側壁部４０ｂの側端面（対向面）４０ｂ３に対向し、かつ退行していない側壁部４０ｂの小口端面４０ｂ２がそれぞれ退行した側壁部４０ｂの延長上において底壁部４０ａの表面（対向面）４０ａ２に対向した状態となる。このため、図５の（ｃ）に示すように、面材２１よりも手前の表面側に配設された側壁部４０ｂにおいては互いに対向する面４０ｂ１，４０ｂ３、４０ｂ２，４０ａ２が実線で示す位置となり、面材２１よりも奥の表面側に配設された側壁部４０ｂにおいては互いに対向する面４０ｂ１，４０ｂ３、４０ｂ２，４０ａ２が二点鎖線で示す位置となる。また、隣接する保持部材４０は、底壁部４０ａが互いの小口端面４０ａ１を近接させた位置に配置されることになる。なお、隣接する保持部材４０においては、互いに対向する側壁部４０ｂの小口端面４０ｂ１と側端面４０ｂ３との間、及び側壁部４０ｂの小口端面４０ｂ２と底壁部４０ａの表面４０ａ２との間に、それぞれ公差を考慮して隙間が確保されている。
【００２６】
上記のように構成した障子２０を備える建具によれば、火災発生時等の高温状態下で加熱され、樹脂によって成形した内方框構成体２２Ｂ，２３Ｂ，２４Ｂの見付けヒレ部２２ａ，２３ａ，２４ａやアルミニウム合金等の金属によって成形した外方框構成体２２Ａ，２３Ａ，２４Ａの見付けヒレ部２２ａ，２３ａ，２４ａ，２５ａが溶融したり焼失したとしても、補強材５０に連結した保持部材４０によって面材２１が保持され、框２２，２３，２４，２５から脱落する事態が防止される。しかも、框２２，２３，２４，２５の熱伸びに伴って保持部材４０が伸張し、側壁部４０ｂの対向面４０ｂ１，４０ｂ３、４０ｂ２，４０ａ２の相互隙間が拡大した場合であっても、上述したように、面材２１の一方の表面側の隙間と面材２１の他方の表面側の隙間とが見込み方向において互いにずれた位置となるため、火炎の貫通口となるおそれはない。また、框２２，２３，２４，２５のそれぞれに配設された保持部材４０の底壁部４０ａによって面材２１の見込み面のほぼ全周が覆われることになる。これらの結果、火災が発生したとしても、室内外での延焼を防止することができ、建具の防火性能を向上させることが可能となる。加えて、保持部材４０は、絞り加工を施すことなく側壁部４０ｂの相互間隔が一定のままとなり、面材２１の表面との隙間も均一となるため、定形のシール材３０を適用して面材２１との隙間を塞ぐことができ、製造コストの点でも有利となる。
【００２７】
なお、上述した実施の形態では、底壁部４０ａの小口端面４０ａ１に対して側壁部４０ｂのそれぞれが退行する小口端面４０ｂ１を有するように保持部材４０を構成しているが、本発明は必ずしもこれに限定されない。例えば、図６の変形例１に示すように、一方の側壁部４０ｂの両側小口端面４０ｂ１をそれぞれ底壁部４０ａの小口端面４０ａ１から寸法ｈ分だけ退行させ、他方の側壁部４０ｂについては底壁部４０ａと同じ長手寸法を有するように構成しても良い。なお、変形例１の保持部材４０において実施の形態と同様の構成については同一の符号が付してある。
【００２８】
こうした保持部材４０であっても、図７に示すように、隣接するものの向きを逆にすれば、互いに対向する側壁部４０ｂの小口端面４０ｂ１，４０ｂ２が面材２１の一方の表面側と他方の表面側とで互いに異なる平面上に位置した状態となる。従って、火災発生時等の高温状態下で框２２，２３，２４，２５の熱伸びに伴って保持部材４０が伸張し、側壁部４０ｂの対向面４０ｂ１，４０ｂ３、４０ｂ２，４０ａ２の相互隙間が拡大した場合であっても、上述したように、面材２１の一方の表面側の隙間と面材２１の他方の表面側の隙間とが見込み方向において互いにずれた位置となるため、火炎の貫通口となるおそれはない。しかも、保持部材４０は、絞り加工を施すことなく側壁部４０ｂの相互間隔が一定のままとなり、面材２１の表面との隙間も均一となるため、定形のシール材３０を適用して面材２１との隙間を塞ぐことができ、製造コストの点でも有利となる。
【００２９】
また、上述した実施の形態及び変形例１では、側壁部４０ｂの退行した小口端面４０ｂ１を保持部材４０の長手方向に対して直角となるように構成しているが、例えば、図８の変形例２に示すように、側壁部４０ｂの退行した小口端面４０ｂ１′を傾斜させるようにしても良い。すなわち、この変形例２では、図８の（ａ）及び図８の（ｂ）に示すように、一方の側壁部４０ｂの小口端面４０ｂ１′が傾斜する保持部材４０と、一方の側壁部４０ｂの小口端面４０ｂ１′が傾斜するとともに、他方の側壁部４０ｂの小口端面４０ｂ１が側壁部４０ｂの見付け方向に沿った寸法ｈ分だけ底壁部４０ａの小口端面４０ａ１から退行した保持部材４０とを適用するようにしている。上述の２種類の保持部材４０についても、例えば、底壁部４０ａ及び側壁部４０ｂを有した長尺材を適宜長さに切断した後、側壁部４０ｂの端部を適宜切除すれば容易に製造することができる。なお、変形例２の保持部材４０において実施の形態と同様の構成については同一の符号が付してある。
【００３０】
この変形例２においても、隣接して配設される保持部材４０においては、退行した側壁部４０ｂの小口端面４０ｂ１が退行していない側壁部４０ｂの側端面４０ｂ３に対向し、かつ傾斜した側壁部４０ｂの小口端面４０ｂ１′が互いに対向した状態となる。このため、図８の（ｃ）に示すように、面材よりも手前の表面側に配設された側壁部４０ｂにおいては互いに対向する面４０ｂ１，４０ｂ３、４０ｂ２，４０ａ２が実線で示す位置となり、面材よりも奥の表面側に配設された側壁部４０ｂにおいては互いに対向する面４０ｂ１′が二点鎖線で示す位置となる。また、隣接する保持部材４０は、底壁部４０ａが互いの小口端面４０ａ１を近接させた位置に配置される。
【００３１】
従って、適用する障子２０の框に生じた熱伸びに伴って保持部材４０が伸張し、側壁部４０ｂの対向面４０ｂ１，４０ｂ３、４０ｂ２，４０ａ２や対向面４０ｂ１′の相互隙間が拡大した場合であっても、上述したように、面材の一方の表面側の隙間と面材の他方の表面側の隙間とが見込み方向において互いにずれた位置となるため、火炎の貫通口となるおそれはない。また、隣接する保持部材４０の底壁部４０ａによって面材の見込み面のほぼ全周が覆われることになる。これらの結果、火災が発生したとしても、室内外での延焼を防止することができ、建具の防火性能を向上させることが可能となる。しかも、隣接する保持部材４０は、絞り加工を施すことなく側壁部４０ｂの相互間隔が一定のままとなり、面材の表面との隙間が均一となるため、定形のシール材を適用して面材との隙間を塞ぐことができ、製造コストの点でも有利となる。
【００３２】
なお、上述した実施の形態では、金属によって構成した外方框構成体２２Ａ，２３Ａ，２４Ａと、樹脂によって成形した内方框構成体２２Ｂ，２３Ｂ，２４Ｂとによって框２２，２３，２４を構成した障子２０を例示しているが、本発明は必ずしもこれに限定されず、金属のみによって構成した框を適用する障子や樹脂のみによって構成した框を適用する障子にももちろん適用することが可能である。この場合、必ずしも面材の四周に保持部材が設けられている必要はなく、框に熱膨張性部材ＥＸが貼り付けてある必要もない。また、建具として引き違い窓を例示しているが、保持部材の一対の側壁部の間に面材の縁部を配置した障子を備える建具であれば、その他のものにも適用することが可能であり、またはめ殺し窓（ＦＩＸ窓）として構成することも可能である。はめ殺し窓の場合には、枠体を構成する上枠、下枠及び左右に縦枠が面材を保持する枠材となる。なお、面材の形状は、矩形である必要はなく、三角形であっても良いし、五角形以上の多角形として構成することも可能である。さらに隣接する保持部材において面材の一方の表面側に配設される第１の対向面と、面材の他方の表面側に配設される第２の対向面との組み合わせは、実施の形態及び変形例のものに限らず、互いに異なる平面上に位置するように設けられていればその他の組み合せであっても構わない。
【符号の説明】
【００３３】
２０  障子、２０Ａ  面材枠、２１  面材、２２，２３，２４，２５  框、２２Ｃ，２３Ｃ，２４Ｃ，２５Ｃ  面材収容溝、４０  保持部材、４０ａ  底壁部、４０ａ１  小口端面、４０ａ２  表面、４０ｂ  側壁部、４０ｂ１，４０ｂ２  小口端面、４０ｂ３  側端面
【図１】
2018066119.tif 000003
【図２】
2018066119.tif 000004
【図３】
2018066119.tif 000005
【図４】
2018066119.tif 000006
【図５】
2018066119.tif 000007
【図６】
2018066119.tif 000008
【図７】
2018066119.tif 000009
【図８】
2018066119.tif 000010